(57)【特許請求の範囲】
【請求項１】
ベースマシンの前部に設けたリーダを起伏シリンダにより起伏可能に支持し、前記リーダにオーガを昇降可能に装着し、前記オーガは、前記リーダの両側に設けられた一対のガイドパイプをガイドギブで把持した状態で昇降可能に装着され、前記オーガの上下には、前記リーダの上端部に取り付けられた上部スプロケットとリーダの下端部に設けられた下部スプロケットとに掛け渡した昇降チェーンの両端がそれぞれ取り付けられている杭打機の前記オーガの着脱方法において、
前記オーガの脱着時には、
前記オーガのガイドギブにガイドギブフックを取り付けるガイドギブフック取付工程と、
前記オーガの上下に取り付けられた前記昇降チェーンをリーダに固定するためのチェーンストッパを取り付けるチェーンストッパ取付工程と、
前記昇降チェーンを前記オーガから分離する昇降チェーン分離工程と、
前記オーガから前記ガイドギブを取り外すガイドギブ取外工程と、
前記オーガを前記リーダから吊り上げるオーガ吊り上げ工程とを含むことを特徴とする杭打機のオーガ着脱方法。
【請求項２】
前記オーガの装着時には、
前記オーガを前記リーダに吊り込むオーガ吊り込み工程と、
前記オーガにオーガガイドを取り付けるオーガガイド取付工程と、
前記オーガの上下に前記昇降チェーンを連結させる昇降チェーン連結工程と、
前記チェーンストッパを取り外すチェーンストッパ取外工程と、
前記オーガガイドから前記ガイドギブに付け替えるガイドギブ取付工程とを含むことを特徴とする請求項１記載の杭打機のオーガ着脱方法。
【請求項３】
ベースマシンの前部に設けたリーダを起伏シリンダにより起伏可能に支持し、前記リーダに昇降可能にオーガを装着し、前記オーガは、前記リーダの両側に設けられた一対のガイドパイプをガイドギブで把持した状態で昇降可能に装着され、前記オーガの上下には、前記リーダの上端部に取り付けられた上部スプロケットとリーダの下端部に設けられた下部スプロケットとに掛け渡した昇降チェーンの両端がそれぞれ取り付けられている杭打機の前記オーガの着脱をサポートする治具であって、
前記治具は、前記ガイドギブを取り外す際に把手として機能するガイドギブフックと、前記昇降チェーンをリーダに固定するためのチェーンストッパとを有し、
前記ガイドギブフックは、作業時に把手として機能するフック部と、ガイドギブ締結ボルト用の挿通孔に挿通される挿通ピンとを有し、
前記チェーンストッパは、前記オーガの上部側の昇降チェーンを固定する上部側チェーンストッパと、前記オーガの下部側の昇降チェーンを固定する下部側チェーンストッパとからなり、
前記上部側チェーンストッパは、前記昇降チェーンのローラを挟持する固定部と該固定部の両側部に設けられ前記ガイドパイプを把持する把持部とを有し、
前記下部側チェーンストッパは、前記昇降チェーンのローラを挟持する固定部と、前記リーダの下端部に取り付ける取付部とを有している
ことを特徴としているオーガ着脱用のサポート治具。
【請求項４】
請求項３に記載されたオーガ着脱用のサポート治具を用いる請求項１又は２記載の杭打機のオーガ着脱方法。
【発明の詳細な説明】
【技術分野】
【０００１】
本発明は、杭打機のオーガ着脱方法及びオーガ着脱用のサポート治具に関する。
【背景技術】
【０００２】
近年、オーガ等の作業装置を取り外すことなく輸送姿勢とすることのできる小型の杭打機が開発されている（例えば、特許文献１参照）。また、複数のリーダ部材からなるリーダを輸送状態や作業状態に応じて分解したり、組み換えする方法も開発されている（例えば、特許文献２参照。）。
【先行技術文献】
【特許文献】
【０００３】
【特許文献１】特開２０１５−１７８７３３号公報
【特許文献２】特開２０１０−４７９９５号公報
【発明の概要】
【発明が解決しようとする課題】
【０００４】
しかしながら、特許文献１記載の小型の杭打機であっても、輸送トラックの積載質量制限がある場合には、オーガを取り外して輸送する必要が生じる。しかしながら、特許文献２記載のようなリーダの分解・組み換え方法はあるものの、安全かつ作業効率よくオーガを着脱するための方法やそれらをサポートする治具は存在していなかった。
【０００５】
特に、新設計の杭打機であれば、あらかじめ輸送状態を考慮した設計も可能であるが、既存の杭打機に対して適用できるものはなかった。
【０００６】
そこで本発明は、既存の杭打機にも適用できるオーガの着脱方法及びそれらをサポートする治具を提供することを目的としている。
【課題を解決するための手段】
【０００７】
上記目的を達成するため、本発明の杭打機のオーガ着脱方法は、ベースマシンの前部に設けたリーダを起伏シリンダにより起伏可能に支持し、前記リーダに昇降可能にオーガを装着し、前記オーガは、前記リーダの両側に設けられた一対のガイドパイプをガイドギブで把持した状態で昇降可能に装着され、前記オーガの上下には、前記リーダの上端部に取り付けられた上部スプロケットとリーダの下端部に設けられた下部スプロケットとに掛け渡した昇降チェーンの両端がそれぞれ取り付けられている杭打機の前記オーガの着脱方法において、前記オーガの脱着時には、前記オーガのガイドギブにガイドギブフックを取り付けるガイドギブフック取付工程と、前記オーガの上下に取り付けられた前記昇降チェーンをリーダに固定するためのチェーンストッパを取り付けるチェーンストッパ取付工程と、前記昇降チェーンを前記オーガから分離する昇降チェーン分離工程と、前記オーガから前記ガイドギブを取り外すガイドギブ取外工程と、前記オーガを前記リーダから吊り上げるオーガ吊り上げ工程とを含むことを特徴としている。
【０００８】
また、前記オーガの装着時には、前記オーガを前記リーダに吊り込むオーガ吊り込み工程と、前記オーガにオーガガイドを取り付けるオーガガイド取付工程と、前記オーガの上下に前記昇降チェーンを連結させる昇降チェーン連結工程と、前記チェーンストッパを取り外すチェーンストッパ取外工程と、前記オーガガイドから前記ガイドギブに付け替えるガイドギブ取付工程とを含むことが好ましい。
【０００９】
さらに、本発明のオーガ着脱用のサポート治具は、ベースマシンの前部に設けたリーダを起伏シリンダにより起伏可能に支持し、前記リーダに昇降可能にオーガを装着し、前記オーガは、前記リーダの両側に設けられた一対のガイドパイプをガイドギブで把持した状態で昇降可能に装着され、前記オーガの上下には、前記リーダの上端部に取り付けられた上部スプロケットとリーダの下端部に設けられた下部スプロケットとに掛け渡した昇降チェーンの両端がそれぞれ取り付けられている杭打機の前記オーガの着脱をサポートする治具であって、前記治具は、前記ガイドギブを取り外す際に把手として機能するガイドギブフックと、前記昇降チェーンをリーダに固定するためのチェーンストッパとを有し、前記ガイドギブフックは、作業時に把手として機能するフック部と、ガイドギブ締結ボルト用の挿通孔に挿通される挿通ピンとを有し、前記チェーンストッパは、前記オーガの上部側の昇降チェーンを固定する上部側チェーンストッパと、前記オーガの下部側の昇降チェーンを固定する下部側チェーンストッパとからなり、前記上部側チェーンストッパは、前記昇降チェーンのローラを挟持する固定部と該固定部の両側部に設けられ前記ガイドパイプを把持する把持部とを有し、前記下部側チェーンストッパは、前記昇降チェーンのローラを挟持する固定部と、前記リーダの下端部に取り付ける取付部とを有していることを特徴としている。
【００１０】
さらに、上述のサポート治具を上述のオーガ脱着方法に用いることが好ましい。
【発明の効果】
【００１１】
本発明の杭打機のオーガの着脱方法によれば、オーガの着脱を安全に実施することができる。さらに、着脱用のサポート治具さえ用意すれば既存の杭打機に対しても特段の改造の必要はない。
【図面の簡単な説明】
【００１２】
【図１】リーダを起立させた状態の杭打機の側面図である。
【図２】同じく正面図である。
【図３】同じく平面図である。
【図４】リーダを倒伏させた状態の杭打機の側面図である。
【図５】ガイドギブフックの取付を示す説明図である。
【図６】ガイドギブフックの取付を示す詳細な説明図である。
【図７】ガイドギブフックの取付状態を背面側から示す説明図である。
【図８】図７のＶＩＩＩ−ＶＩＩＩ断面図である。
【図９】チェーンストッパの取付を示す説明図である。
【図１０】上部チェーンストッパ及び下部チェーンストッパの取付状態を示す側面図である。
【図１１】上部チェーンストッパ及び下部チェーンストッパの取付状態を示す平面図である。
【図１２】図１０のＸＩＩ−ＸＩＩ断面図である。
【図１３】図１２のＸＩＩＩ−ＸＩＩＩ断面図である。
【図１４】上部チェーンストッパの取付状態を示す分解斜視図である。
【図１５】下部チェーンストッパの取付状態を示す断面側面図である。
【図１６】同じく分解斜視図である。
【図１７】昇降チェーンの分離及びオーガの吊り上げを示す説明図である。
【図１８】オーガ２６の取り外し完了状態を示す説明図である。
【図１９】オーガ２６の吊り込み状態を示す説明図である。
【図２０】オーガガイド７０の取付状態を示す側面図である。
【図２１】図２０のＸＸＩ−ＸＸＩ断面図である。
【図２２】昇降チェーンの連結とチェーンストッパの取外を示す説明図である。
【図２３】リーダ１４の起立を示す説明図である。
【図２４】ガイドギブの取付を示す説明図である。
【図２５】オーガ２６の取り付け完了状態を示す説明図である。
【発明を実施するための形態】
【００１３】
図１乃至図２５は本発明の杭打機のオーガ着脱方法の一形態例を示すもので、杭打機のリーダに装着されたオーガの着脱の各段階を示す説明図である。
【００１４】
まず、図１乃至図３は、杭打機の作業時の状態を示している。この杭打機１１は、クローラを備えた走行部１２ａと、該走行部１２ａ上に旋回可能に設けられた上部旋回体１２ｂとで構成されたベースマシン１３と、該ベースマシン１３の前部に起伏可能に設けられたリーダ１４と、該リーダ１４を後方から支持するリーダ用の起伏シリンダ１５とを備えている。ベースマシン１３の前部には、リーダ１４を起伏可能に支持するフロントブラケット１６が設けられ、該フロントブラケット１６には起伏シリンダ１５の基部が回動可能に取り付けられるシリンダ取付部１７が設けられている。さらに、ベースマシン１３の前部上方には、油圧配管を支持する配管支持部材１８が設けられている。
【００１５】
リーダ１４は、前記フロントブラケット１６に設けられたベースマシン幅方向の支軸１９に回動可能に取り付けられた下部リーダ２１と、該下部リーダ２１の上部に連結される中間リーダ２２と、該中間リーダ２２の上部に連結される上部リーダ２３とに分割形成され、さらに、前記中間リーダ２２は、中間第１部材２２ａと中間第２部材２２ｂとに分割形成され、上部リーダ２３は上部第１部材２３ａと上部第２部材２３ｂとに分割形成されている。これらの各リーダ部材は、それぞれボルト・ナットを使用したフランジ部材によって着脱可能に連結されている。
【００１６】
起伏シリンダ１５のシリンダロッド１５ａの先端部と中間リーダ２２とは、中間第２部材２２ｂの後面に設けられたシリンダブラケット２２ｃに接続ピンを介して回動可能に連結されている。また、上部リーダ２３の上端部にはトップシーブ２４が、下部リーダ２１の下端部に設けられた駆動スプロケット用カバー３７には下部ガイド２５がそれぞれ装着されており、リーダ１４の前面にはオーガ２６が昇降可能に装着されるとともに、該オーガ２６を昇降させるためのチェーン式の昇降装置２７が設けられている。
【００１７】
オーガ２６は、リーダ１４の両側に設けられた一対のガイドパイプ２８をオーガ２６の後部側に設けた左右一対の上部ガイドギブ２９ａ及び下部ガイドギブ２９ｂで把持した状態でリーダ１４に沿って昇降するもので、オーガ２６の上下には、下部リーダ２１の下端部に設けられた駆動スプロケット３０（本発明の下部スプロケット）と、前記トップシーブ２４に設けられた従動スプロケット３１（本発明の上部スプロケット）との間に掛け渡された昇降チェーン３２の両端がそれぞれ取り付けられている。チェーン式の昇降装置２７は、駆動スプロケット３０を油圧モータによって駆動し、該駆動スプロケット３０と従動スプロケット３１とに掛け回された昇降チェーン３２を上下方向に移動させることにより、リーダ１４に沿ってオーガ２６を昇降させるもので、トップシーブ２４の上部には、従動スプロケット３１から昇降チェーン３２が外れることを防止するためのチェーンカバー３３が取り付けられている。
【００１８】
なお、上部ガイドギブ２９ａ及び下部ガイドギブ２９ｂは、オーガ２６本体に対して、
それぞれ左右各６本のガイドギブ締結ボルト３４によって固定されている。
【００１９】
また、図４に示すように、リーダ１４をベースマシン上方に倒伏させて、輸送姿勢とすることができるが、輸送トレーラ，トラック等の積載質量制限の規制により、リーダ１４を分解したり、オーガ２６を取り外す必要がある場合がある。リーダ１４の取り外しについては周知の方法を用いることができる。以下、本願発明に係るオーガ２６の着脱方法について説明する。より詳細には、図５乃至図１８によりリーダ１４からオーガ２６を取り外す脱着方法について説明し、図１９乃至図２６によりリーダ１４にオーガ２６を取り付ける装着方法について説明する。
【００２０】
まず、上部ガイドギブ２９ａ及び下部ガイドギブ２９ｂに対して、それぞれガイドギブフック４０を取付けるガイドギブフック取付工程を図５乃至図８を用いて説明する。図５に示されるように、リーダ１４を起立した状態で、オーガ２６を最も低い位置まで下降させ、次いで、ガイドギブ締結ボルト３４のうち、上下２本のみを残して取り外す（図５参照。）。
【００２１】
ガイドギブフック４０は、丸棒状の金属棒を取付時にリーダ１４の軸線方向に延在する長辺部４１ａとリーダ１４の幅方向に延在する短辺部４１ｂとに折り曲げられたＬ字状のフック部４１と、該フック部４１の短辺部に接合される板状の金属片を取付時にリーダ１４の前方方向に突出する（各ガイドギブ２９ａ，２９ｂの上面と平行となる）基部４２ａとリーダ１４の軸線方向に立ち上がる立設片４２ｂとに折り曲げられたＬ字状の取付片４２と、上から三番目のガイドギブ締結ボルト３４が締結されていたボルト孔に挿通される挿通ピン４３と、該挿通ピン４３とフック部４１の長辺部４１ａの端部とを連結する板状の連結片４４とから形成されている。また、取付片の４２の基部４２ａには、各ガイドギブ２９ａ，２９ｂの上面に螺着される取付ボルト４５を挿通する挿通孔４２ｃが設けられている。さらに、立設片４２ｂには、フックやロープ等を掛けるための係止孔４２ｄが設けられている。
【００２２】
ガイドギブフック４０は、まず挿通ピン４３を各ガイドギブ２９ａ，２９ｂの上から三番目のガイドギブ締結ボルト３４が締結されていたボルト孔に挿通し、取付片４２の基部４２ａに設けられた挿通孔４２ｃと各ガイドギブ２９ａ，２９ｂの上面に設けられたボルト孔とを一致させ、取付ボルト４５を螺合させることによって取り付けられる。
【００２３】
ガイドギブフック４０の取付後に、オーガ２６への油圧配管や配線を取り外し、下部ガイド２５を駆動スプロケット用カバー３７から取り外す。さらに、起伏シリンダ１５を短縮し、リーダ１４をベースマシン１３の上方に倒伏させる。
【００２４】
次に、オーガ２６の上下に取り付けられた昇降チェーンについて、上部側及び下部側のそれぞれにおいて固定するためのチェーンストッパ取付工程を図９乃至図１６を用いて説明する。
【００２５】
まず、図９に示されるように、オーガ２６を約３００ｍｍほどリーダ１４に沿って上昇させて下部側の昇降チェーン３２を出し、オーガ２６の上部に設けられたアイボルト２６ａと下部に設けられた取付片２６ｂとにクレーンのワイヤ３５を掛けて、オーガ２６を吊り下げ可能な状態とする。
【００２６】
次に、チェーン３２とオーガ２６の下部側とを連結するチェーン調整ボルト３６を緩め、上部チェーンストッパ５０を中間第１部材２２ａの上端部に、下部チェーンストッパ６０を下部リーダ２１と駆動スプロケット用カバー３７との連結部にそれぞれ取り付けることで、チェーン３２を固定する。なお、上部チェーンストッパ５０は、リーダ部材同士を着脱する際の作業空間となるボルト着脱作業用の凹部２２ｄに装着することが可能であり、図９の想像線に示されるように、中間第１部材２２ａの下端部に取り付けてもよく、取付位置は適宜選択可能である。
【００２７】
ここで、上部チェーンストッパ５０及び下部チェーンストッパ６０の構造について、図１０乃至図１６を用いて説明する。
【００２８】
上部チェーンストッパ５０の構造については、図１０乃至図１４、より詳細には、図１２乃至図１４に開示されている。上部チェーンストッパ５０は、チェーン３２を固定するための固定部本体５１と、該固定部本体５１の両側部に連結されガイドパイプ２８を把持する把持部５２，５２とを有している。
【００２９】
固定部本体５１は、天板部５３ａと該天板部５３ａの両端から垂下する側壁部５３ｂとによって取付時の下方側（リーダ１４側）が開口するように形成されたコ字状の基部５３と、天板部５３ａの下面に突出し、昇降チェーン３２のローラ３２ａに対応するＵ字状の溝を有する固定片５４と、天板部５３ａの上面に設けられた把手５５と、側壁部５３ｂの中間部に設けられて把持部５２を連結する略Ｌ字状の連結部５６とから形成されている。
【００３０】
把持部５２は、２枚のＬ字状の板材５２ａ，５２ｂを組合わせて接合し、一側方が開口したコ字状の空間を形成することで、ガイドパイプ２８を把持する。把持部５２は、さらに両端に接合した補強板５７と、上方に突出したＬ字状の板材５２ｂの一辺に設けられた２個のボルト挿通孔５２ｃ及びワイヤ３５等を挿通するための３個の吊下用挿通孔５２ｄとを有している。
【００３１】
この上部チェーンストッパ５０を使用して、オーガ２６の上部側に昇降チェーン３２を固定する際には、まず固定部本体５１を上方から挿入し、ローラ３２ａを固定片５４によって挟持する。次いで、把持部５２をガイドパイプ２８を把持するように両側から挿入し、ボルト挿通孔５２ｃと連結部５６に穿設されたボルト挿通孔５６ａとを合わせた状態で、結合ボルト５８ａを両ボルト挿通孔５２ｃ，５６ａに相通し、結合ナット５８ｂにて固定部本体５１と把持部５２とを結合する。
【００３２】
なお、上部チェーンストッパ５０は、チェーンストッパとして用いない場合には、吊下用挿通孔５２ｄを利用して、リーダ吊り具としても使用することができる。
【００３３】
下部チェーンストッパ６０の構造については、図１０，１１，１５，１６にに開示されている。下部チェーンストッパ６０は、略Ｙ字状の板を断面「ヘ」の字状に屈曲した天板部６１と、該天板部６１の屈曲部から取付時の下方側（リーダ１４側）に突出し、昇降チェーン３２のローラ３２ａに対応するＵ字状の溝を有する固定片６２とを略Ｔ字状に接合したものである。
【００３４】
天板部６１の上面には把手６３が設けられるとともに、Ｙ字状の両先端部にはボルト挿通用の長孔６４が形成されている。
【００３５】
この下部チェーンストッパ６０を使用して、オーガ２６の下部側に昇降チェーン３２を固定する際には、まず下部チェーンストッパ６０を上方から挿入し、ローラ３２ａを固定片６２によって挟持する。次いで、長孔６４と駆動スプロケット用カバー３７の前面に設けられた取付孔３７ａとを合わせた状態で、取付ボルト６５を挿通し、下部チェーンストッパ６０を固定する。なお、取付孔３７ａは、下部ガイド２５を固定するためのものを用いることも可能である。
【００３６】
次に、図１７に示すように、オーガ２６をワイヤ３５で補助吊りした状態で、昇降チェーン３２をオーガ２６から分離する昇降チェーン分離工程を行う。オーガ２６の上部側については、オーガ２６に取り付けられた側から数えて１０リンク目に赤色マーカを施したプレート３２ｂの部分で分離し、オーガ２６の下部側については、チェーン調整ボルト３６の部分にて分離する。
【００３７】
さらに、上部ガイドギブ２９ａ及び下部ガイドギブ２９ｂに残されたガイドギブ締結ボルト３４を取り外し、各ガイドギブ２９ａ、２９ｂを取り外すガイドギブ取外工程を実施する。この際、ガイドギブフック４０のフック部４１を持つことによって、操作性が高い作業が可能となる。
【００３８】
その後、オーガ２６をクレーンにより吊り上げ（オーガ吊り上げ工程）、図１８に示すように、枕木３８の上に載置する。オーガ２６、杭打機１１ともに輸送するために、昇降チェーン３２の端部や各種配管等を養生して、オーガ２６の取り外しが完了する。
【００３９】
次に、図１９乃至図２５を用いて、オーガ２６をリーダ１４に取り付ける装着方法について説明する。
【００４０】
まず、図１９に示されるように、オーガ２６をクレーンにより吊り込み、倒伏した状態のリーダ１４上に載置し（オーガ吊り込み工程）、仮装着用のオーガガイド７０を取り付ける（オーガガイド取付工程）。
【００４１】
オーガガイド７０は、図２０及び図２１に示されるように、平板を二度直角に折り曲げて断面略Ｚ字状としたものであり、オーガ２６に取り付ける取付片７０ａと、ガイドパイプ２８に沿って折れ曲がるカバー部７０ｂとから形成される。
【００４２】
取付片７０ａの中央部には把手７１が設けられるとともに、両端部に取付ボルト７２を挿通するためのボルト挿通孔が形成されている。
【００４３】
このオーガガイド７０を上部ガイドギブ２９ａが取り付けられる位置に合わせ、取付片７０ａに設けられたボルト挿通孔と上部ガイドギブ２９ａを取り付けるための上下のボルト挿通孔とを一致させて、取付ボルト７２によって、オーガガイド７０をオーガ２６に取り付ける。
【００４４】
その後、図２２に示されるように、オーガ２６に連結されていた昇降チェーン３２とリーダ１４に固定されていた昇降チェーン３２とをプレート３２ｂの部分で連結するとともに、オーガ２６の下部側について、チェーン調整ボルト３６を締め付けて昇降チェーン３２と連結させる（昇降チェーン連結工程）。さらに、上部チェーンストッパ５０及び下部チェーンストッパ６０を取り外す（チェーンストッパ取外工程）。そして、オーガ２６をリーダ１４の最下端部に移動し、クレーンからの吊下げを解除する。
【００４５】
その状態で、図２３に示すように、起伏シリンダ１５を伸長させて、リーダ１４を起立させる。
【００４６】
次に、図２４に示されるように、下部ガイドギブ２９ｂを取り付け、ガイドギブフック４０を外し、全てのガイドギブ締結ボルト３４を締結して下部ガイドギブ２９ｂを固定する。次に、同様にオーガガイド７０と上部ガイドギブ２９ａを付け替える（ガイドギブ取付工程）。
【００４７】
そして、下部ガイド２５を駆動スプロケット用カバー３７の前面に取り付けることにより、図２５に示すような作業可能な状態となり、オーガ２６の装着が完了する。
【００４８】
このような工程により、オーガ２６の着脱を安全に実施することができる。さらに、ガイドギブフック４０，各チェーンストッパ５０，６０、オーガガイド７０といった着脱用のサポート治具は、それぞれの構造は比較的シンプルであり、容易に製造できることから、これらを用意すれば既存の杭打機に対しても特段の改造の必要はない。
【００４９】
なお、各リーダ部材の分割数や分割位置は任意であり、各部の構造や形状も任意であり、各種の杭打機に応用できるものである。
【符号の説明】
【００５０】
１１…杭打機、１２ａ…走行部、１２ｂ…上部旋回体、１３…ベースマシン、１４…リーダ、１５…起伏シリンダ、１５ａ…シリンダロッド、１６…フロントブラケット、１７…シリンダ取付部、１７ａ…軸受片、１７ｂ…通孔、１８…配管支持部材、１９…支軸、２１…下部リーダ、２２…中間リーダ、２２ａ…中間第１部材、２２ｂ…中間第２部材、２２ｃ…シリンダブラケット、２２ｄ…凹部、２３…上部リーダ、２３ａ…上部第１部材、２３ｂ…上部第２部材、２４…トップシーブ、２５…下部ガイド、２６…オーガ、２６ａ…アイボルト、２６ｂ…取付片、２７…昇降装置、２８…ガイドパイプ、２９ａ…上部ガイドギブ、２９ｂ…下部ガイドギブ、３０…駆動スプロケット、３１…従動スプロケット、３２…昇降チェーン、３２ａ…ローラ、３２ｂ…赤色マーカを施したプレート、３３…チェーンカバー、３４…ガイドギブ締結ボルト、３５…ワイヤ、３６…チェーン調整ボルト、３７…駆動スプロケット用カバー、３７ａ…取付孔、３８…枕木、４０…ガイドギブフック、４１…フック部、４１ａ…長辺部、４１ｂ…短辺部、４２…取付片、４２ａ…基部、４２ｂ…立設片、４２ｃ…挿通孔、４２ｄ…係止孔、４３…挿通ピン、４４…連結片、４５…取付ボルト、５０…上部チェーンストッパ、５１…固定部本体、５２…把持部、５２ａ，５２ｂ…板材、５２ｃ…ボルト挿通孔、５２ｄ…吊下用挿通孔、５３…基部、５３ａ…天板部、５３ｂ…側壁部、５４…固定片、５５…把手、５６…連結部、５６ａ…ボルト挿通孔、５７…補強板、５８ａ…結合ボルト、５８ｂ…結合ナット、６０…下部チェーンストッパ、６１…天板部、６２…固定片、６３…把手、６４…長孔、７０…オーガガイド、７０ａ…取付片、７０ｂ…カバー部、７１…把手、７２…取付ボルト
【図１】
0006651253.tif 000002
【図２】
0006651253.tif 000003
【図３】
0006651253.tif 000004
【図４】
0006651253.tif 000005
【図５】
0006651253.tif 000006
【図６】
0006651253.tif 000007
【図７】
0006651253.tif 000008
【図８】
0006651253.tif 000009
【図９】
0006651253.tif 000010
【図１０】
0006651253.tif 000011
【図１１】
0006651253.tif 000012
【図１２】
0006651253.tif 000013
【図１３】
0006651253.tif 000014
【図１４】
0006651253.tif 000015
【図１５】
0006651253.tif 000016
【図１６】
0006651253.tif 000017
【図１７】
0006651253.tif 000018
【図１８】
0006651253.tif 000019
【図１９】
0006651253.tif 000020
【図２０】
0006651253.tif 000021
【図２１】
0006651253.tif 000022
【図２２】
0006651253.tif 000023
【図２３】
0006651253.tif 000024
【図２４】
0006651253.tif 000025
【図２５】
0006651253.tif 000026